(57)【要約】      （修正有）【課題】従来のテフロン(登録商標)フェルト若しくはテフロン織布を用いた粉体シール片はシール部の凹部内周面に固着して取付けたときに皺(しわ)が生じるため回転軸周面との密着性が不十分で粉体の侵入，洩れを生じる。フェルト若しくは織布の繊維間、皺(しわ)部分に粉体を抱持したままの状態になるため、長時間使用の間に該粉体が回転軸の周面を研削して傷付け細らせ回転軸の耐久性を損じ、狂いを生じる。【解決手段】短冊状で弾力性のある発泡プラスチック製のホルダー９を中心として、該ホルダー９の裏面に両面接着テープ７の片面を固着すると共に該両面接着テープ７の他方面に剥離紙７ａを接着し、また同ホルダー９の表面にテフロンフィルム片８を固着して、前記４者８、９、７、７ａを積層構成して設けたものである、回転軸の粉体シール片Ｓによって課題を解決した。【選択図】図１
0003105832.tif 000002
【実用新案登録請求の範囲】
【請求項１】
シール部の軸受凹部内面に固着して粉体の洩れ出しをシールするのに用いる粉体シール片の幅及び長さに見合った寸法の短冊状で弾力性のある発泡プラスチック製のホルダーを中心として、該ホルダーの裏面に両面接着テープの片面を固着すると共に該両面接着テープの他方面に剥離紙を接着し、また同ホルダーの表面にテフロン(登録商標)フィルム片を固着して、前記４者を積層構成して設けたものである、
回転軸の粉体シール片。
【請求項２】
シール部の軸受凹部内面に固着して粉体の洩れ出しをシールするのに用いる粉体シール片の幅及び長さに見合った寸法の短冊状で弾力性のある発泡プラスチック製のホルダーを中心として、該ホルダーの裏面に両面接着テープの片面を固着すると共に該両面接着テープの他方面に剥離紙を接着し、また同ホルダーの表面にテフロン(登録商標)フィルム片を設定力で伸張した状態で固着して、前記４者を積層構成すると共に、該フィルム片の固着後の伸張解放及び復元収縮力で該粉体シール片をＪ形、Ｕ形、Ｃ形等に反曲変形して設けたものである、
請求項１記載の回転軸の粉体シール片。
【考案の詳細な説明】
【技術分野】
【０００１】
本考案は、例えば、複写機、ファックス、プリンター等におけるトナーカートリッジ等の回転軸の周面に付着した粉体(例、トナー)が軸受部に侵入して回転の妨げにならないように、シール部の軸受凹部の内側に取付けて粉体の侵入をシールする粉体シール片に係り、極めて薄く(例、厚さ５０ミクロン)、柔軟性、伸縮性を有するテフロン(登録商標)(テフロンは合成樹脂ポリテトラフルオロエチレンのこと。)フィルム片を使用して、粉体シール片と回転軸周面との密着性を格段に向上することによって、シール機能を格段に向上した。
【背景技術】
【０００２】
例えば、複写機、ファックス、プリンター等において、粉体（例、トナー即ちカーボン微粉体）を充填した長方形箱状等のケースにマグネットローラー、転写ローラー等の回転軸をセットしたトナーカートリッジ等が広く用いられているが、長期間の使用により、これらの回転軸１の周面に付着した粉体２が軸受部３に侵入して回転の妨げにならないように、通常、軸受部３の内側（例、トナー槽の左右側板４）に粉体２をシールするシール部５を設けて、該シール部５から軸受部３側へ粉体２が洩れ出ないようにしている。
【０００３】
該シール部５は回転軸１をトナーケース等の正面側若しくは上面側から嵌合取付けするＪ形、Ｕ形、Ｃ形等の軸受凹部６を形成し、該軸受凹部６の内周面に、粉体２の洩れをシールする粉体シール片(本考案Ｓ若しくは従来Ｓ１)を一体的に接着してある。（図３、図４、図５参照）
【０００４】
従来の、粉体シール片Ｓ１は素材として、弾力性があって摩擦抵抗が極めて少なく、耐久性に秀れ、高密度に絡合した繊維が微粉体の侵入を有効に防御する作用を行う等の秀れた特性を兼備したテフロンフェルト片を使用している。
テフロンフェルトは１万円札大で１万円すると言われる位に極めて高価であり、厚さが増すほど高価であるため、他の素材、例えば発泡プラスチックと組み合わせて使用するのが通例である。
【０００５】
また、上記のテフロンフェルト片の他、テフロン繊維を表面側に起毛状態に織り出したビロード織布のようなテフロン織布を設け、該織布を形抜き加工して設けた粉体シール片を使用することが行われている。
【０００６】
従来の粉体シール片は、メーカーによって多少相違するが、例えば、幅１０ｍｍ位、長さ４５ｍｍ位、厚さ１ｍｍ位のテフロンフェルト片若しくはテフロン織布片と厚さ３ｍｍ位の発泡プラスチック片、合成ゴム片、若しくはフェルト片等からなるホルダーを容易に剥離しない状態に積層形成したものの裏面に両面接着フィルムの片面を接着（他方面に剥離紙を接着）したものであり、
該粉体シール片を、上記シール部の軸受凹部の内周面に、両面接着フィルムの他方面（剥離紙を剥がして）を固着して取付けたものである。
而して、本考案の粉体シール片も寸法、形状は従来と略同様である。
【特許文献１】特開２００１−５９５７５
【特許文献２】特開２００１−２０８２０６
【考案の開示】
【考案が解決しようとする課題】
【０００７】
上記従来の、テフロンフェルト片１１若しくは織布片をホルダーに積層形成した粉体シール片Ｓ１は、
１．シール部の凹部内周面に固着して取付けたときに、どうしても皺(しわ)１０が生じやすく、そのため回転軸周面との密着性が不十分となって粉体の侵入，洩れを生じる、(図５参照)
２．回転軸周面と粉体シール片の間に侵入してきた粉体を、フェルト片若しくは織布片を構成している繊維の間や上記の皺(しわ)部分に、抱持したままの状態になるため、長時間使用の間に、該粉体が研削剤の作用をして回転軸の周面を研削して傷付け細らせて、回転軸の耐久性を損じると共に回転に狂いを生じる、
等の課題があったが、本考案は、従来のテフロンフェルト片若しく織布片を用いることを取り止め、極めて薄く(例、厚さ５０ミクロン)、柔軟性、伸縮性を有するテフロンフィルム片を使用して、粉体シール片と回転軸周面との密着性を格段に向上することによって、従来の課題を解決したものである。
【課題を解決するための手段】
【０００８】
即ち、本考案は、シール部の軸受凹部内面に固着して粉体の洩れ出しをシールするのに用いる粉体シール片の幅及び長さに見合った寸法の短冊状で弾力性のある発泡プラスチック製のホルダーを中心として、該ホルダーの裏面に両面接着テープの片面を固着すると共に該両面接着テープの他方面に剥離紙を接着し、また同ホルダーの表面にテフロンフィルム片を固着して、前記４者を積層構成して設けたものである、回転軸の粉体シール片によって課題を解決したものである。
【考案の効果】
【０００９】
本考案は、テフロンフィルム片を使用したため、その極めて薄く、柔軟性、伸縮性を有する特性によって、シール部の軸受凹部内周面に固着して取付けたときに皺(しわ)を生じることがなく、粉体シール片と回転軸周面との密着性を格段に向上することでき、よって、粉体の侵入，洩れを有効に防止し得る優れた効果がある。
【００１０】
また、上記の粉体シール片と回転軸周面との良好な密着性によって、回転軸周面とシール片の間に粉体が侵入してくることを未然に防止できて、両者間に粉体を抱持することが無く、よって、従来のように、長時間使用の間に、該粉体が研削剤の作用をして回転軸の周面を研削して傷付け細らせて、回転軸の耐久性を損じると共に回転に狂いを生じるような恐れがない特徴がある。
【００１１】
テフロンフィルム片の極めて薄く、柔軟性、伸縮性を有する特性を利用し、該フィルム片を設定力で伸張した状態で発泡プラスチック製のホルダーに固着し、固着後の伸張解放及び復元収縮力でホルダーを自然に若しくは自動的に反曲変形することによって、粉体シール片をシール部の軸受凹部内周面に取付けるのに適合したＪ形、Ｕ形、Ｃ形等の形状に形成できる優れた利点がある。
【考案を実施するための最良の形態】
【００１２】
極めて薄く(例、厚さ５０ミクロン)、柔軟性、伸縮性を有するテフロンフィルム片を使用して、粉体シール片と回転軸周面との密着性を格段に向上することによって目的を実現した。
【実施例】
【００１３】
図１は本考案実施例１の粉体シール片の正面図、平面図、及び右側面図、図２は図１のＡ−Ａ線拡大断面図、図３は粉体シール片をシール部の軸受凹部に取付けた一部切断正面図、図４は図３のＢ−Ｂ線断面図、図５は従来の粉体シール片をシール部に取付けて、皺を生じた状態を示す図である。
【００１４】
トナーケース等の回転軸１のシール部５の軸受凹部６の内面に固着して粉体２の洩れ出しをシールするのに用いる粉体シール片の幅及び長さに見合った寸法の短冊状で弾力性のある発泡プラスチック製のホルダー９を中心として、該のホルダー９の裏面に両面接着テープ７の片面を固着すると共に該両面接着テープ７の他方面に剥離紙７ａを接着し、また同ホルダー９の表面にテフロンフィルム片８を固着し、前記４者８、９、７、７ａを積層構成して、回転軸１の粉体シール片Ｓを設けたものである。
【００１５】
上記の本考案粉体シール片Ｓは、例えば、短冊状で弾力性のある発泡プラスチック製のホルダー９を中心として、該ホルダー９の裏面に両面接着テープ７の片面を固着すると共に該両面接着テープ７の他方面に剥離紙７ａを接着し、また同ホルダー９の表面にテフロンフィルム片８を、設定力で伸張した状態で固着した後、該フィルム片８を伸張から解放することにより、該フィルム片８の固着後の復元収縮力で、自然に若しくは自動的に、前記４者８、９、７、７ａを積層構成した粉体シール片Ｓを、軸受凹部６の内面に略適合した形状である、Ｊ形、Ｕ形、Ｃ形等に反曲変形して設けたものである。
【産業上の利用可能性】
【００１６】
本考案は、シール部の軸受部の内側に取付けて粉体の侵入をシールする粉体シール片に係り、極めて薄く、柔軟性、伸縮性を有するテフロンフィルム片を使用して、粉体シール片と回転軸周面との密着性を格段に向上することによって、シール性能を格段に向上したものであるので、上記の複写機、ファックス、プリンター等のトナーカートリッジ等の回転軸に限らず、広く種々の回転軸の軸受部の内側に取り付けて、粉体の侵入をシールする粉体シール片として、汎用し得る。
【図面の簡単な説明】
【００１７】
【図１】本考案実施例の粉体シール片の正面図、平面図、及び右側面図。
【図２】図１のＡ−Ａ線断面拡大図。
【図３】粉体シール片をシール部の軸受凹部に取付けた一部切断正面図。
【図４】図３のＢ−Ｂ線断面図。
【図５】従来の粉体シール片をシール部に取付けて、皺を生じた状態を示す図。
【符号の説明】
【００１８】
Ｓ    実施例の粉体シール片
１    回転軸
２    粉体
３    軸受部
４    側板
５    シール部
６    軸受凹部
７    両面粘着テープ
７ａ  剥離紙
８    テフロンフィルム片
９    ホルダー
Ｓ１  従来のテフロンフェルト片を固着した粉体シール片
１０  皺(しわ)
１１  テフロンフェルト片
【図１】
0003105832.tif 000003
【図２】
0003105832.tif 000004
【図３】
0003105832.tif 000005
【図４】
0003105832.tif 000006
【図５】
0003105832.tif 000007
【手続補正書】
【提出日】平成16年7月21日(2004.7.21)
【手続補正１】
【補正対象書類名】実用新案登録請求の範囲
【補正対象項目名】請求項１
【補正方法】変更
【補正の内容】
【請求項１】
シール部の軸受凹部内面に固着して粉体の洩れ出しをシールするのに用いる粉体シール片の幅及び長さに見合った寸法の短冊状で弾力性のある発泡プラスチック製のホルダーを中心として、該ホルダーの裏面に両面接着テープの片面を固着すると共に該両面接着テープの他方面に剥離紙を接着し、また同ホルダーの表面にポリテトラフルオロエチレンフィルム片を固着して、前記４者を積層構成して設けたものである、
回転軸の粉体シール片。
【手続補正２】
【補正対象書類名】実用新案登録請求の範囲
【補正対象項目名】請求項２
【補正方法】変更
【補正の内容】
【請求項２】
シール部の軸受凹部内面に固着して粉体の洩れ出しをシールするのに用いる粉体シール片の幅及び長さに見合った寸法の短冊状で弾力性のある発泡プラスチック製のホルダーを中心として、該ホルダーの裏面に両面接着テープの片面を固着すると共に該両面接着テープの他方面に剥離紙を接着し、また同ホルダーの表面にポリテトラフルオロエチレンフィルム片を設定力で伸張した状態で固着して、前記４者を積層構成すると共に、該フィルム片の固着後の伸張解放及び復元収縮力で該粉体シール片をＪ形、Ｕ形、Ｃ形等に反曲変形して設けたものである、
請求項１記載の回転軸の粉体シール片。